(57)【要約】【課題】  新たに表示される情報画像を認識しやすく、操作者の視線が散漫するのを防止する車両用表示装置を提供する。【解決手段】  表示パネル１３に表示される複数の情報画像から構成される第１情報画像群のうち、所定の表示条件が成立した第１情報画像３０１ｂを、第１情報画像３０１ｂが第１始点領域３０１から第１表示領域４０１へ向かって遷移する過程を示す第１遷移画像３０１ａを表示してから、第１表示領域４０１に表示し、表示パネルに表示される情報画像から構成される第２情報画像群のうち、所定の表示条件が成立した第２情報画像３０２ｂを、第２情報画像３０２ｂが第１始点領域３０１とは異なる第２始点領域３０２から第１表示領域４０１へ向かって遷移する過程を示す第２遷移画像３０２ａを表示してから、第２表示領域４０２に表示する。 【選択図】図３
2014004970.tif 000002
【特許請求の範囲】
【請求項１】
画像を表示する表示パネルと、
前記表示パネルに表示される複数の情報画像から構成される第１情報画像群のうち、所定の表示条件が成立した第１情報画像を、前記第１情報画像が前記表示パネルの第１始点領域から第１表示領域へ向かって遷移する過程を示す第１遷移画像を表示してから、前記第１表示領域に表示する第１表示制御手段と、
前記表示パネルに表示される少なくとも１つの情報画像から構成される第２情報画像群のうち、所定の表示条件が成立した第２情報画像を、前記第２情報画像が前記第１始点領域とは異なる第２始点領域から第２表示領域へ向かって遷移する過程を示す第２遷移画像を表示してから、前記第２表示領域に表示する第２表示制御手段と、を備えることを特徴とする車両用表示装置。
【請求項２】
所定の非表示条件が成立した前記第１情報画像を、前記第１情報画像が前記第１表示領域から前記第１始点領域へ向かって遷移する過程を示す遷移画像を表示してから、前記第１始点領域にて非表示にする非表示制御手段をさらに備えることを特徴とする請求項１に記載の車両用表示装置。
【請求項３】
前記第１領域は、アイコン画像を表示することを特徴とする請求項１または請求項２に記載の車両用表示装置。
【請求項４】
前記第１表示制御手段は、前記第１表示領域に前記第１情報画像が表示されている際、前記第１情報画像群のうち新たに表示条件が成立した後発情報画像を、前記第１表示領域に表示させ、前記第１情報画像を他の領域に表示させることを特徴とする請求項１乃至３に記載の車両用表示装置。
【請求項５】
前記第１表示制御手段は、前記第１表示領域に前記第１情報画像が表示されている際、前記第１情報画像群のうち新たに表示条件が成立した後発情報画像を、前記第１情報画像が表示されている前記第１表示領域の隣接した領域に表示することを特徴とする請求項１乃至３に記載の車両用表示装置。
【請求項６】
前記アイコン画像から前記第１情報画像または前記第２情報画像へ矢印画像を表示することを特徴とする請求項３に記載の車両用表示装置。
【発明の詳細な説明】
【技術分野】
【０００１】
本発明は、車両用表示装置に関する。
【背景技術】
【０００２】
特許文献１には、マトリクス状の画素を有する表示パネルに、車両の各種情報を表示させる車両用表示装置が開示されている。このような車両用表示装置は、アナログの車両用計器とは異なり、車両ＥＣＵからの車両関連情報や操作者の操作に基づき、表示する情報または表示レイアウトが適宜切り替わることで、より多くの情報を操作者に伝達することができるものである。
【先行技術文献】
【特許文献】
【０００３】
【特許文献１】特開２００８−２５４５３９号公報
【発明の概要】
【発明が解決しようとする課題】
【０００４】
しかし、特許文献１のような車両用表示装置では、車両ＥＣＵから車両に関する異常情報が伝達された際、図７（ａ）に示す通常状態から図７（ｂ）に示すように、車両の異常情報に対応したウォーニング画像１０００を表示パネルの所定の位置に新たに表示させるため、周りの情報画像と新たに表示されたウォーニング画像との区別がしづらく、新たにウォーニング画像が表示されたタイミングも、表示され始めた一瞬を見逃すとわからなくなってしまう恐れがあった。
【０００５】
また、情報画像毎に表示される箇所が異なり、表示開始タイミングを認識するためには、画像全体を監視しなくてはならなく、操作者の視線が散漫してしまうおそれがあった。
【０００６】
本発明は、上記実情に鑑みてなされたものであり、新たに表示される情報画像を認識しやすく、操作者の視線が散漫するのを防止する車両用表示装置を提供することを目的とする。
【課題を解決するための手段】
【０００７】
本発明は、前述した課題を解決するため、第一の発明は、画像を表示する表示パネルと、前記表示パネルに表示される複数の情報画像から構成される第１情報画像群のうち、所定の表示条件が成立した第１情報画像を、前記第１情報画像が前記表示パネルの第１始点領域から第１表示領域へ向かって遷移する過程を示す第１遷移画像を表示してから、第１表示領域に表示する第１表示制御手段と、前記表示パネルに表示される少なくとも１つの情報画像から構成される第２情報画像群のうち、所定の表示条件が成立した第２情報画像を、前記第２情報画像が前記第１始点領域とは異なる第２始点領域から第２表示領域へ向かって遷移する過程を示す第２遷移画像を表示してから、第２表示領域に表示する第２表示制御手段と、を備えるものであり、第１情報画像群のうち表示条件が成立したものは、第１始点領域から第１表示領域に向かって第１遷移画像を表示してから、第１表示領域に表示されるものであり、第２情報画像群のうち表示条件が成立したものは、第１始点領域とは異なる第２始点領域から第２表示領域に向かって第２遷移画像を表示してから、第２表示領域に表示されるのであり、情報画像が第１始点領域から遷移するのか第２始点領域から遷移するのかを認識することによって、情報画像がどの情報画像群に関するものかを認識することができ、操作者が遷移画像を視認するだけで必要とする種類の情報かを認識し、必要な情報のみを注視させることができ、操作者の視線が散漫するのを防止することができる。さらに複数の情報画像が共通した第１始点領域から遷移しながら表示されるため、その始点領域を視線に入れておけば、どのタイミングで情報画像が表示されたかを認識することができる。
【０００８】
また、第２の発明は、所定の非表示条件が成立した前記第１情報画像を、前記第１情報画像が前記第１表示領域から前記第１始点領域へ向かって遷移する過程を示す遷移画像を表示してから、前記第１始点領域にて非表示にする非表示制御手段をさらに備えるものであり、第１始点領域を視線に入れておけば、どのタイミングで情報画像が非表示状態になったかを認識することができる。
【０００９】
また、第３の発明は、前記第１始点領域は、アイコン画像を表示するものであり、どの領域から情報画像が遷移して表示されるかが明確化され、より操作者の視線が散漫するのを防止することができる。
【００１０】
また、第４の発明は、前記第１表示制御手段は、前記第１表示領域に前記第１情報画像が表示されている際、前記第１情報画像群のうち新たに表示条件が成立した後発情報画像を、前記第１表示領域に表示させ、前記第１情報画像を他の領域に表示させるものであり、常に第１表示領域には最新の情報画像を表示することができ、操作者は、第１表示領域を視認すれば情報画像群のうち最新に表示された内容を容易に認識することができる。
【００１１】
また、第５の発明は、前記第１表示制御手段は、前記第１表示領域に前記第１情報画像が表示されている際、前記第１情報画像群のうち新たに表示条件が成立した後発情報画像を、前記第１情報画像が表示されている前記第１表示領域の隣接した領域に表示するものであり、第１表示領域近傍を視認することで、第１情報画像群に関する情報を認識することができ、視認者の視線が散漫するのを防止することができる。
【００１２】
また、第６の発明は、前記アイコン画像から前記第１情報画像または前記第２情報画像へ矢印画像を表示するものであり、どの情報画像がどのアイコン画像から遷移して表示されたかを認識することができ、情報画像がそれぞれ所定の箇所に表示されたあとでも注視したい情報に関連するアイコン画像から矢印画像を辿ることで、所望の情報に関連する情報画像のみを視認者が注視することができ、視認者の視線が散漫するのを防止することができる。
【発明の効果】
【００１３】
新たに表示される情報画像を認識しやすく、操作者の視線が散漫するのを防止する車両用表示装置を提供することができる。
【図面の簡単な説明】
【００１４】
【図１】本発明の実施形態に係る車両用表示装置の構成を示すブロック図である。
【図２】上記実施形態に係る車両用表示装置における表示推移の一実施例を表す図である。
【図３】上記表示推移の第１変形例を表す図である。
【図４】上記表示推移の第２変形例を表す図である。
【図５】上記表示推移の第３変形例を表す図である。
【図６】上記表示推移の第４変形例を表す図である。
【図７】上記表示推移の第５変形例を表す図である。
【発明を実施するための形態】
【００１５】
以下、本発明の実施形態に係る車両用表示装置について、図１，２を参照して説明し、その後図３乃至７を用いて、本発明の実施形態に係る第１乃至第６変形例について説明する。
【００１６】
図１は、本発明の一実施形態に係る車両用表示装置１の構成及び車両用表示装置１の周辺機器との関係を表すブロック図であり、図２は、本発明の一実施形態に係る車両用表示装置１の表示パネル１３の表示推移を示す図である。
【００１７】
本発明の一実施形態である車両用表示装置１は、図１に示すように、車載端末３からの様々な車両情報を、車両ＥＣＵ２を介して入力し、表示パネル１３に表示するものである。車載端末３は、例えば、車速を検出する車速センサ３ａ，エンジン回転数を検出する回転数センサ３ｂ，燃料残量を検出する燃料量センサ３ｃ，走行距離を算出する走行距離算出部３ｄ，油圧を検出する油圧センサ３ｅ，水温を検出する水温計３ｆ，エアコンの制御状態を検出する空調監視部３ｇ，車両のライトの点灯状態を検出するライトセンサ３ｈ，目的地までの案内情報などを示すナビゲーション装置３ｉ，インターネット通信を行いインターネット情報を出力する外部通信機器３ｊ，車両で鑑賞する音楽の情報などを出力するオーディオ３ｋなどである。
【００１８】
車両用表示装置１は、車両ＥＣＵ２からの車両情報を入力し、この車両情報に基づき、表示パネル１３に各種情報を表示させる制御部１１と、制御部１１からの表示指示データに基づいて、表示パネル１２に所望の情報画像Ｂを表示させる画像描画部１２と、画像描画部１２からの画像データに基づき情報画像Ｂを表示する表示パネル１３と、制御部１１からの表示指示データに対応した画像データを格納する記憶部１４と、車両運転者が表示パネル１３の表示切り替えを行なうための操作部１５と、を備える。
【００１９】
制御部（特許請求の範囲における第１表示制御手段，第２表示制御手段及び非表示制御手段）１１は、マイコン及び外部インターフェース，ＲＡＭ，ＲＯＭなどの周辺回路から構成されるものであり、車載端末３から出力される車両情報を車両ＥＣＵ２を介して入力し、この車両情報に基づき、画像描画部１２に対して表示指示データを出力し、表示パネル１３に所望の情報画像Ｂを表示させるものである。また、制御部１１は、後述する操作部１５に電気的に接続され、この操作部１５からの操作信号を入力し、この操作信号に基づいた動作を表示パネル１３などに行なわせる。また、図示しないが、制御部１１は、表示パネル１３のバックライトの輝度調整なども行なう。
【００２０】
画像描画部１２は、ＧＤＣ（Ｇｒａｐｈｉｃｓ  Ｄｉｓｐｌａｙ  Ｃｏｎｔｒｏｌｌｅｒ）などにより構成され、制御部１１からの表示指示データに基づき、記憶部１４から対応する画像データを読み出して表示パネル１３に所望の情報画像を表示させるものである。
【００２１】
表示パネル１３は、マトリクス状の画素を有する全面がカラーの液晶パネルなどで構成される表示素子であり、画像描画部１２からの画像データに基づき、所望の表示を行なうものである。表示パネル１３は、図２（ａ）に示すように、通常表示としてスピードメータ画像１００、タコメータ画像２００、アイコン画像３１１，３１２，３１３，３１４とを表示するものであり、後述するように情報画像Ｂの表示条件が成立した際、図２（ｂ）に示すように、アイコン画像３１１（第１始点領域３０１）から第１表示領域４０１に向かって遷移画像３０１ａを表示し、この遷移画像３０１ａを表示後、図２（ｃ）に示すように第１表示領域４０１に第１情報画像３０１ｂを表示するものである。
【００２２】
記憶部１４は不揮発性の記憶媒体であり、予め制御部１１からの表示指示データに対応した画像データを格納するものである。例えば、油圧センサ３ｅの異常状態を示す油圧異常画像データ１４１ａ、水温計３ｆの異常状態を示す水温異常画像データ１４１ｂなどからなるウォーニング情報に関するウォーニング画像群（第１情報画像群）１４１や、ナビゲーション装置３ｉから出力される次に曲がる交差点までの距離を示す交差点画像データ１４２ａ、現在地周辺の施設の情報を示す周辺スポット画像データ１４２ｂなどからなるナビ情報に関するナビ画像群（第２情報画像群）１４２や、残燃料が少ないことを示す燃料注意画像データ１４３ａ、平均燃費が所定の閾値以上に達したことを報知する平均燃費画像データ１４３ｂなどからなる車両のウォーニング以外の車両関連情報を示すインフォメーション画像群１４３や、オーディオ３ｋから出力される次の曲情報を表示する曲切替え画像データ１４４ａ、お奨めの曲などを表示する曲推薦画像データ１４４ｂなどからなるエンタメ情報に関するエンタメ画像群１４４などの情報画像Ｂの画像データが記憶されている。
【００２３】
情報画像Ｂは、車両ＥＣＵ２からの車両情報が所定の表示条件を満たしたと制御部１１が判定した時、表示パネル１３に表示されるものである。表示条件を満たした情報画像Ｂは、表示パネル１３の始点領域３０１，３０２，３０３，３０４から所定の表示領域４０１，４０２に向かって遷移してから表示領域４０１，４０２に表示されるものである。情報画像Ｂが表示領域４０１，４０２に表示される前に、情報画像Ｂが始点領域３０１，３０２，３０３，３０４から表示領域４０１，４０２に向かって遷移した様子を示すアニメーションである遷移画像Ａを表示する。
【００２４】
記憶部１４は、関連する情報画像群１４１，１４２，１４３，１４４毎に、始点領域３０１，３０２，３０３，３０４と表示領域４０１，４０２とをデータとして保持している。本発明の車両用表示装置１は、情報画像群１４１，１４２，１４３，１４４毎に遷移画像Ａの始点である始点領域３０１，３０２，３０３，３０４を定めているので、遷移画像Ａがどの領域から遷移してきたかを視認することにより、情報画像Ｂがどの情報画像群１４１，１４２，１４３，１４４に関するものかを認識することができ、車両運転者が遷移画像Ａを視認するだけで必要とする情報かを認識し、必要な情報のみを注視させることができ、車両運転者の視線が散漫するのを防止することができる。さらに複数の情報画像Ｂが共通した始点領域３０１，３０２，３０３，３０４から遷移しながら表示されるため、その始点領域３０１，３０２，３０３，３０４を視線に入れておけば、どのタイミングで情報画像Ｂが表示されたかを認識することができる。
【００２５】
操作部１５は、押釦スイッチなどで構成され、車両用表示装置１の車両運転者側に突出したノブを押すことにより、回路基板上の押釦スイッチが押圧操作を検知して、操作信号を制御部１１に出力するものである。例えば、オドトリップ値の切り替えなどに使用されるものである。本願発明における情報画像Ｂは、この操作部１５の操作により表示される画像ではなく、制御部１０から自動的に表示指示されるものである。操作部１５を操作する際は、操作タイミングが自ずとわかるため、遷移画像Ａの表示は煩わしさを与える可能性があるため、遷移画像Ｂや画像が遷移し始める始点領域などを定める必要はない。
【００２６】
以上が本願に係る車両用表示装置の一実施形態の構成であるが、上記実施形態（第一実施形態）で説明した内容は、本発明に係る技術を具体化するために例示するものであり、本発明の技術的範囲を限定するものではない。本発明に係る技術範囲は、特許請求の範囲に記載された範囲内において、様々の変更を加えることが可能である。以下、本発明における変形例について説明する。なお、上記の技術的事項や下記の変形例における技術的事項は、適宜組み合わされてもよい。
【００２７】
（変形例１）
上記実施例においては、始点領域３０１，３０２，３０３，３０４にアイコン画像３１１，３１２，３１３，３１４を表示しているが、図３に示すように、第１始点領域３０１，第２始点領域３０２にアイコン画像３１１，３１２，３１３，３１４を表示しなくてもよい。ウォーニング画像群１４１に属する水温計異常画像（第１情報画像）３０１ｂは、表示条件が成立後、第１始点領域３０１から第１表示領域４０１に向かって第１遷移画像３０１ａを表示してから、第１表示領域４０１に表示される。同様に、ナビ画像群１４２に属する交差点画像（第１情報画像）３０２ｂは、表示条件が成立後、第２始点領域３０２から第１表示領域４０１に向かって第２遷移画像３０２ａを表示してから、第１表示領域４０１に表示される。斯かる構成により、アイコン画像３１１，３１２，３１３，３１４を表示パネル１３に常時表示しておく必要がなく、他の表示画像の表示領域とすることができる。
【００２８】
（変形例２）
また、上記実施例においては、情報画像群１４１，１４２，１４３，１４４毎に始点領域３０１，３０２，３０３，３０４が定められていたが、どの情報画像群１４１，１４２，１４３，１４４も共通した表示領域４０１に情報画像Ｂを表示するものであったが、図４に示すように、ウォーニング画像群１４１の水温異常画像３０１ｂを第２表示領域４０２に表示し、ナビ画像群１４２の交差点画像３０２ｂを第1表示領域４０１に表示し、情報画像群１４１，１４２，１４３，１４４毎に表示領域をそれぞれ設けてもよい。
【００２９】
（変形例３）
また、図５（ａ）のように予めウォーニング画像群１４１の水温異常画像３０１ｂが第１表示領域４０１に表示されている際、新たにウォーニング画像群１４１である油圧異常画像（後発情報画像）３０１ｃが表示される場合、図５（ｂ１）に示すように、第１表示領域４０１にはじめに表示されていた水温異常画像３０１ｂに隣接した領域に油圧異常画像（後発情報画像）３０１ｃを表示してもよい。斯かる構成により、同じ情報画像群である情報画像を１箇所に集約でき、同情報画像群である情報画像を、視線をずらすことなく複数の情報画像を認知することができる。第１情報画像３０１ｂの第１遷移画像３０１ａと、後発情報画像３０１ｃの後発遷移画像３０１ｃは、同様の態様であることが望ましい。第１遷移画像３０１ａと後発遷移画像３０１ｃとを同様の態様にすることにより、より第１情報画像３０１ｂと後発情報画像３０１ｄとが共通の情報画像群であることが強調することができる。
また、図５（ｂ２）のように、油圧異常画像（後発情報画像）３０１ｃを第１表示領域４０１に表示し、この前に第１表示領域４０１に表示されていた水温異常画像３０１ｂを第１表示領域４０１ではない第２表示領域４０２に移動させてもよい。このように常に新しい後発情報画像３０１ｃを優先して所定の箇所（第１表示領域４０１）に表示することによって、車両運転者が常に新しい情報画像Ｂを所定の領域を視認するだけで確認できる。
【００３０】
（変形例４）
また、図６に示すように、情報画像Ｂを表示後に、情報画像Ｂが関連付けられたアイコン画像３０１，３０２，３０３，３０４から情報画像Ｂの方向に矢印画像Ｍを表示させてもよい。斯かる構成により、情報画像がどのアイコン画像に関連するかを認識することができる。
【符号の説明】
【００３１】
１    車両用表示装置
２    車両ＥＣＵ
３    車載端末
１１    制御部（第１表示制御手段，第２表示制御手段及び非表示制御手段）
１２    画像描画部
１３    表示パネル
１４    記憶部
１５    操作部
１００    スピードメータ画像
２００    タコメータ画像
３０１    第１始点領域
３０２    第２始点領域
３１１    ウォーニングアイコン画像
３１２    ナビアイコン画像
４０１    第１表示領域
４０２    第２表示領域
Ａ    遷移画像
Ｂ    情報画像
【図１】
2014004970.tif 000003
【図２】
2014004970.tif 000004
【図３】
2014004970.tif 000005
【図４】
2014004970.tif 000006
【図５】
2014004970.tif 000007
【図６】
2014004970.tif 000008
【図７】
2014004970.tif 000009